(57)【要約】      （修正有）【課題】畳表を有する椅子やベンチは存在したが、単に従来の畳を使用したデザイン性に乏しいもので使用場所も限られたものであった。そこで、素材、形状、色、サイズ等を自由に選択した分割ブロック畳を組み合わせて座面を構成し、和室はもとより洋室にも似合い、収納時にかさばらないように脚を折畳み可能にした畳ベンチを提供する。【解決手段】畳を嵌合する凹部をベンチの台座枠に形成して座面とし、接地面にクッション材を取り付けた折畳み可能な脚をベンチ台座枠に一体的に取り付けるのである。座面に嵌合する畳の素材、サイズ、形状、色、模様、機能、畳縁の有無、畳縁の種類を自由に選択、組み合わせ可能にして座面のバリエーションを豊富にする。また、折畳み脚を上下の連結桟によって連結された二本の脚柱から構成される一対の枠体状脚に形成し、折畳み時には台座枠内に収納可能とする。【選択図】図１
0003157758.tif 000002
【実用新案登録請求の範囲】
【請求項１】
畳を嵌合する凹部を座面に形成し、
脚の接地面にクッション材を取り付けたことを特徴とする折畳み脚付きベンチ。
【請求項２】
四方を矩形平板で囲い形成した台座枠内側に平板を取り付けて畳を嵌合する座面とし、脚の接地面にクッション材を取り付けた折畳み脚を台座枠内側に収納することを特徴とする折畳み脚付きベンチ。
【請求項３】
座面に嵌合する畳の素材、サイズ、形状、色、模様、機能、畳縁の有無、畳縁の種類を自由に選択、組み合わせ可能な請求項１又は２記載のベンチ。
【請求項４】
折畳み脚が上下を連結桟によって連結された二本の脚柱から成る、一対の枠体状脚であることを特徴とする請求項１乃至請求項３記載のベンチ。
【考案の詳細な説明】
【技術分野】
【０００１】
この考案は畳を座面に有する折畳み式ベンチに関するものである。
【背景技術】
【０００２】
畳基材の嵌合端部に凹部と凸部を形成して、畳基材を順次係合連結し、使用目的に応じて模様、大きさ等を簡単に変更できる畳がある（特許文献１）。
【０００３】
刺繍を施した畳と施さない半畳サイズの無縁の畳を適宜組み合わせて敷き詰めるシステム畳がある（特許文献２）。
【０００４】
規格寸法の畳を所定形状に分割したブロック畳を用い、これを組み合わせて室内に敷設する畳の敷設方法に関する発明がある（特許文献３）。
【０００５】
矩形台部の底面に四方辺縁部に桟を組み付けて囲い枠を形成し、連結桟付き二本脚を囲い枠内側に枢着した折畳み脚付き台がある（特許文献４）。
【先行技術文献】
【特許文献】
【０００６】
【特許文献１】実用新案登録３０３４３９３号公報
【特許文献２】実用新案登録第３１０７９２５号公報
【特許文献３】特開２００８−１６３６１９号公報
【特許文献４】実開平５−６５２４１号公報
【考案の概要】
【考案が解決しようとする課題】
【０００７】
多数の檀家、信者が寺院の座敷に集まって住職の説法等を聞くときは通常、畳の上に正座するが、長時間の正座は足に負担がかかる。特に高齢者は足腰が弱っているため、畳への着座動作、畳からの起立動作を行うことが困難である。
【０００８】
一方、寺院の持つ厳粛な雰囲気を損なうことなく、座敷に設置する長椅子形状のものは今までなかった。また、寺院側としては檀家等が使用しないときは畳の部屋に何も置かずに広さを保ちたく、さらに、寺院で使用されている畳は一般家庭で使用する畳より高価であることが通常であり、その上に長椅子等を載置すると畳表を傷つけるおそれがある。
【０００９】
また、畳を使用したベンチ等は従来から散見するが、一枚の畳から成る座面を有するベンチであり、多様な形状、色彩を有するデザイン性のある畳表が使用されておらず、斬新な外観を呈するベンチはなかった。
【００１０】
畳の形状等に関する上記の先行技術のうち、特許文献１の畳は、一つの畳基材に凹凸部を繰り返し多数形成する必要があり、手間とコストがかかるうえ、組み合わせ、敷設に時間がかかる。
【００１１】
特許文献２や３の畳は矩形のブロック畳や半畳サイズの畳を用いたシステム畳や、畳の敷設方法であって、畳の形状の応用には限界があり、全体のデザインも必然限られたものとなる。
【００１２】
また、折畳み脚付き台やベンチはあるが、畳を座面に有する折畳み脚付きベンチはなか
った。
【００１３】
そこで、本考案では折畳み脚付きベンチを作成し、ベンチの座面に畳を敷設する。しかもこの畳を素材、形状、色、サイズを自由に選択した分割ブロック畳によって構成し、デザイン性に富む畳ベンチを提供することを目的とするのである。
【課題を解決するための手段】
【００１４】
上記課題を解決するために本願の請求項１では畳を嵌合する凹部をベンチの台座枠に形成して座面とすると共に折畳み可能な脚をベンチ台座枠に一体的に取り付け、さらに、脚の接地面にクッション材を取り付けてベンチを設置する畳あるいは床面の損傷を防止するのである。
【００１５】
次に請求項２記載の考案は、四方を矩形平板で囲い形成した台座枠内側に水平方向に平板を取り付けて凹部とし、畳を嵌合する座面を形成する。さらに、接地面にクッション材を取り付けた折畳み脚を台座枠内側に収納できるように、取り付けるのである。
【００１６】
次に請求項３記載の考案は、座面に嵌合する畳の素材、サイズ、形状、色、模様、機能、畳縁の有無、畳縁の種類を自由に選択、組み合わせ可能とし、座面のバリエーションを豊富にして使用場所、使用目的に応じたベンチを作成するのである。
【００１７】
次に、請求項４では折畳み脚を上下の連結桟によって連結された二本の脚柱から構成される一対の枠体状脚で形成し、頑丈で安定したベンチ、長椅子を提供するのである。
【考案の効果】
【００１８】
１．座面に畳を使用したベンチであるため、寺院等で使用するときも雰囲気を損なうことがなく、またベンチ脚の接地面にクッション材を備えているので寺院等に敷設されている高価な畳を痛めることがない。これは、集成材から成るフローリングは勿論、杉、ヒノキなどの柔らかな無垢の床材を使用した洋室であっても床面を傷つけることがなく、安心して使用できる。
【００１９】
２．ベンチの座面にはめ込む畳は一枚からなるものから、座面の形状、面積を所望の形状、サイズに分割した複数のブロック畳で構成することもできる。この畳の素材、機能、色彩、模様、さらには畳縁の有無等自由に選択して要望に応じて組み合わせることができるので、座面デザインの多様性に富み、使用する場所、目的に合わせた畳ベンチを自由に作成できる。
【００２０】
３．ジグソーパズルのように、ブロック畳の配置を組みかえてデザインを容易に変えることができ装飾性、趣味性に優れた家具となる。また、小さな形状のブロック畳から成るため軽くて扱いやすく、取り換え、組み換え作業が容易に行える。また、一つのブロック畳が汚れたり、傷んだりした時はその部分だけを取り外して交換、洗浄が可能でありメンテナンスがしやすい。
【００２１】
４．折畳み脚を備え、なおかつ、折畳み時には脚がベンチ台座枠内に完全に折畳め込めるため収納時にかさばらず便利である。
【００２２】
５．座面が木製等のベンチと異なり、畳から成る座面はクッション性があり保温性も高い。
【図面の簡単な説明】
【００２３】
【図１】本願の畳表を有する折畳みベンチの斜視図。
【図２】ベンチ座面に畳を嵌め込む状態を示す説明図。
【図３】畳のデザインの一例を示す平面図。
【図４】同、他のデザインの平面図。
【図５】同、他のデザインの平面図。
【図６】畳縁を有する畳表の平面図。
【図７】組み立て後のベンチを底面側からみた斜視図。
【図８】同、脚部分の拡大図。
【図９】脚をベンチ台座枠内に折畳んで収納した状態を示す説明図。
【考案を実施するための形態】
【００２４】
本考案の最適な実施形態について図面を参照しながら説明する。
【００２５】
図１が、本考案にかかる畳を有する折畳みベンチ１の斜視図である。
ベンチ１は一対の折畳み脚３−３、矩形台座枠２及び座面４から構成される。
矩形台座枠２は具体的には略長方形状であって、一対の短辺側面を形成する平板２ａ−２ａと長辺側面を形成する平板２ｂ−２ｂとを接合してなる枠体であって、平面視において長方形状を呈している。当該台座枠２は上部に長方形状平板７を嵌合して凹部５が形成されており（図２参照）、ここに二つに分割されたブロック畳４ａ、４ｂを嵌合して畳から成る座面４を形成する。
【００２６】
台座枠２を構成する平板２ａ及び２ｂの中央付近を切り欠いて凹部を形成し、ベンチ持ち運びの際に手を係止する把持部６とする。
【００２７】
凹部５に載置して座面とする畳を構成する素材、形状、サイズ、色、模様、機能等から成るバリエーションは多岐にわたる。すなわち、畳表の素材として従来の一般的な畳に使用される藺草を始め、和紙等の紙製、合成樹脂材製等がある。
また、その機能も抗菌性を有するものや丸洗いを可能とする素材もある。病院や銭湯等不特定多数の人が使用する場所では常に清潔であることが要求され、ベンチにこれらの機能が必要とされる場合もあるからである。
【００２８】
さらには、面状発熱体を畳表の底面に取り付け、伝熱板や断熱板と組み合わせて電気的に接続し、暖房畳から成る座面を形成することも可能である。
【００２９】
所望の形状、サイズに分割されたブロック畳は小さく、軽量で扱いやすく、専門家の手によらなくても嵌合、取り外しが容易で、配置、組み合わせが簡単に行える。パーツごとの販売を行えば、汚れたり傷んだりしたブロック畳だけを取り換え、購入が可能となって便利である。
【００３０】
座面を形成する畳のバリエーションの一例を図３ないし図６に示す。
【００３１】
図３は長方形状の座面８を３つに等分割した畳９、１０、１１から形成している。これらは同一形状、サイズであるが、それぞれに施された色彩が異なってカラフルである。
図４に示す座面１２は同様、３つに分割された畳１３、１４、１５から構成されるが、各ブロック畳の矩形の一辺が斜線から成る台形であって、それぞれ地模様が異なる畳表によって形成されている。
図５の座面１６はさらに細かく分割された多数のブロック畳から構成される。ブロック畳１７には濃い紫、１８には薄い紫の色彩が施された畳表が使用されており、１９は地模様を有するベージュの畳表によって形成されている。
【００３２】
このように、所定サイズの座面をあらゆる形状、サイズに分割することができ、また直
線で構成されるブロック畳だけでなく、曲線を有するブロック畳も製作可能である。これに加えて、素材、色、模様等を組み合わせていくと、そのバリエーションは無限であるといえる。
【００３３】
また、裏表に異なる模様、色彩等を有するリバーシブル畳を形成すると、手軽に模様替えが行えて便利である。
【００３４】
一方、従来の畳に同一、類似する座面を形成することも勿論可能である。図６に示すように畳縁２１を長辺側の両端縁に有する一枚の畳表から成る座面２０を有するベンチは、寺院などの奇抜さを好まない場所には適しており、寺院の持つ厳かな雰囲気を損なうことがなく、使用者が快適に座ることができるという機能を発揮できる。
座面のデザインを選択するときは、購入者は１５ｃｍｘ１５ｃｍ角程度に裁断され、ひと束にまとめられた畳表のセットから所望の畳表を選ぶことができる。素材ごとに分けられた畳表のセットには種々の模様や色彩から成る畳表が束ねられている。また、様々な模様や色彩から成る畳縁も１５ｃｍ程度の長さに裁断されてひとくくりにまとめられており、購入者は、好みの素材、色、縁の有無などサンプルを実際に手に取り、目で見て確認しながら選択できるのである。
【００３５】
一方、遠方の購入者はカタログ、ホームページに掲載された畳のサイズ、形状、色彩、素材、機能等を見ながら、これを自由に組み合わせて注文することができる。
また、ホームページで注文する際には別途、オーダーソフトを作成し、これを利用して受注を行うと迅速、かつ便利である。
【００３６】
具体的にはまず、所定のサイズの座面を構成する畳を所望の形状、数のブロック畳に分割する。次に、それぞれの素材、模様、色彩等を選択するのである。すると、選択されたブロック畳から構成される座面が、自動計算された料金とともに表示される。購入者の住所等、送付先を入力することで送料や納期等も合わせて表示できる。購入者は自分の選択したブロック畳を組み合わせて完成させた座面の明確なイメージを得ることができると共に、料金、納期等の情報も同時に知ることができるのである。
【００３７】
このようなオーダーソフトを使用したインターネット販売やカタログ販売を行うことで、遠方の需要者であっても本願のベンチを購入できるし、製作者も営業に出向く手間が省け、製品のコストダウン、迅速な受発注が可能となるのである。
【００３８】
次に、ベンチの脚の折畳み構造について説明する。
本願のベンチ２２を底面側から見た状態を示す図６では、ベンチ２２の台座枠の短辺側面に一体的に形成した一対の脚２３−２３は、台座枠と同様木製であって、上下の連結桟２５、２６によって連結された二本の脚柱２４−２４から成る。脚柱の上端２４ａには脚の内側への折畳みを可能にする蝶番２７が取り付けられている。二本の脚柱２４−２４と上下の連結桟２５、２６によって矩形状に形成された折畳み脚２３は頑丈で安定して台座枠を支えるのである。さらに下の連結桟２６の接地面には連結桟２６と同一形状のクッション材２８が貼着されており、床面を傷つけることがない。クッション材としては発泡ウレタン等の素材が考えられ、これを接着材あるいは粘着両面テープ等を使用して連結桟２６の裏面に貼りつけるのである。この脚部２３及び蝶番２７を拡大して示した説明図が図８である。
【００３９】
最後に脚を折り畳んだ状態について説明すると、蝶番２７（図示せず）を倒して、起立状態にあった一対の脚２３−２３をそれぞれ内側に倒すとベンチ２２の台座枠内に完全に収納され嵩張ることがない。折り畳んだ後は、把持部２９あるいは３０を両手で把持して保管場所まで持ち運ぶことができる。
【産業上の利用可能性】
【００４０】
本考案は洋室、和室を問わず使用する場所、目的に応じて畳の素材や、形状、サイズ、色、模様等を選択して座面を自由に作成可能な折畳み脚付き長椅子、ベンチ等に利用可能である。
【符号の説明】
【００４１】
１、２２、ベンチ
２、台座枠
３、脚
４、８、１２、１６、２０、座面
４ａ、４ｂ、９、１０、１１、１３、１４、１５、１７、１８、１９、ブロック畳
５、凹部
６、２９、３０、把持部
７、座面を形成する平板
２１、畳縁
２３、折畳み脚
２４、脚柱
２５、２６、連結桟
２７、蝶番
２８、クッション材
【図１】
0003157758.tif 000003
【図２】
0003157758.tif 000004
【図３】
0003157758.tif 000005
【図４】
0003157758.tif 000006
【図５】
0003157758.tif 000007
【図６】
0003157758.tif 000008
【図７】
0003157758.tif 000009
【図８】
0003157758.tif 000010
【図９】
0003157758.tif 000011
【手続補正書】
【提出日】平成21年12月14日(2009.12.14)
【手続補正１】
【補正対象書類名】実用新案登録請求の範囲
【補正対象項目名】請求項１
【補正方法】変更
【補正の内容】
【請求項１】
畳を嵌合する凹部を座面に形成し、接地面にクッション材を取り付けた脚とベンチ本体を折畳み部材を介して一体的に取り付けたことを特徴とする折畳み脚付きベンチ。
【手続補正２】
【補正対象書類名】実用新案登録請求の範囲
【補正対象項目名】請求項２
【補正方法】変更
【補正の内容】
【請求項２】
四方を矩形平板で囲い形成した台座枠内側に平板を取り付けて畳を嵌合する座面とし、接地面にクッション材を取り付けた折畳み脚の上端を折畳み部材を介して座面裏側に取り付けて、折畳み脚を台座枠内側に収納可能とした折畳み脚付きベンチ。
【手続補正３】
【補正対象書類名】実用新案登録請求の範囲
【補正対象項目名】請求項３
【補正方法】変更
【補正の内容】
【請求項３】
畳縁を有する場合は所望の素材、サイズ、形状、色、模様から成る畳縁が付加された、所望の素材、サイズ、形状、色、模様、機能を有する、一又は複数の無縁の畳片を嵌合して座面を形成した請求項１又は２記載の折畳み脚付きベンチ。
【手続補正４】
【補正対象書類名】実用新案登録請求の範囲
【補正対象項目名】請求項４
【補正方法】変更
【補正の内容】
【請求項４】
折畳み脚が、上下を連結桟によって連結された二本の脚柱から成る、一対の枠体状脚であることを特徴とする請求項１乃至３のいずれか１項に記載の折畳み脚付きベンチ。